(57)【特許請求の範囲】
【請求項１】
金属または樹脂からなる有底筒状ケースの底面に圧電素子を貼り合わせてなる超音波送受信器、または、
金属または樹脂からなる有底筒状ケースの底面に底面の幅より外径が小さい有低筒状ケースの開口部を接着し、小さな有低筒状ケースの天面に圧電素子を貼り合わせてなる超音波送受信器のいずれか一方と、
超音波送受信器の側面に取り付けられた、筒間の少なくとも一部がシリコーンで充填された、樹脂からなる筒間の一端が閉じて意匠面を有する多重円筒形状の振動吸収体と、
振動吸収体の取り付けられた超音波送受信器をおさめるためのハウジングケースと、
ハウジングケースにおさめられた超音波送受信器を取り付けるための円筒形の取付部を有するバンパーカバーと、
からなる超音波送受信器とそれをバンパーに取り付けるための構造体において、
バンパーカバーの内径が意匠面付近において振動吸収体の外径より小さく、
振動吸収体の意匠面が、バンパーカバーの意匠面と超音波送受信器の意匠面の
いずれか意匠面から奥まった方の意匠面よりも、
バンパーカバー意匠面の開口部と超音波送受信器との間の幅よりも奥に位置することで、
振動吸収体に当たる飛び石の大きさをバンパーカバーと超音波送受信器の間の幅に制限し、
飛び石による振動吸収体の破壊を防ぐ事を特徴とした超音波送受信器とそれをバンパー取り付けるための構造体
【発明の詳細な説明】
【技術分野】
【０００１】
この発明は、圧電素子を金属または樹脂からなるケースに接着した空中用の超音波送受信器とそれをバンパーに取り付けるための構造体に関するものである。
【背景技術】
【０００２】
超音波を利用した物体検知システムが広い分野で利用されている。近年、特に車用のバックソナーとして超音波送受信器を利用した物体検知システムが盛んに開発されている
【０００３】
車用として使用される超音波送受信器は、つぎの構造のものが一般的である。アルミ合金からなる有底筒状ケースの底面に、両面に電極の取り付けられた圧電素子が接着されている。圧電素子の電極と、外部の電極端子がリード線によって繋がれている。有底筒状ケースの内部は発泡体が挿入され、さらにシリコーンを充填することで密閉されている。現在生産されている超音波送受信器に使用される有底筒状ケースは外径がφ１２からφ１８のものが一般的である。これ以上外径が大きいと車に取り付けた際の意匠性が悪くなり、小さいと十分な超音波特性を得ることができない。アルミ合金以外にエポキシ樹脂などの樹脂材料を有底筒状ケースの材料として使用した超音波送受信器が開発されている。圧電素子の電極に特定の周波数のパルス電圧を加えることで、超音波送受信器を構成する有底筒状ケースの天面が振動し、空気中に超音波を発生される。また、同面で超音波を受信することができる。空気中に発生させた超音波が物体に反射して返ってくるまでの時間を測定することで、物体の有無と物体までの距離を知ることができる。
【０００４】
これらの超音波送受信器は、超音波送受信器の振動によって空気中に超音波を発生させる為、これらを取り付ける場合は、超音波送受信器の振動を妨げない軟らかい材料で超音波送受信器を保持する必要がある。低硬度のシリコーン材料からなるクッションが広く使用されている。シリコーンクッションは塗料の密着性が悪いため、シリコーンクッションの代わりになる構造体の開発が行われている。特許文献１と２に記載の発明では、塗装密着性のよいＰＢＴ等の樹脂で成形した多重筒形状のカバーにシリコーンを充填し、シリコーンクッションの代わりに使用している。多重筒形状の成形品にシリコーンを充填した構造体を振動吸収体と呼んでいる。
【先行技術文献】
【特許文献】
【０００５】
【特許文献１】特許公開２０１０−２５６２９９
【特許文献２】特許公開２０１１−５５２９２
【発明の概要】
【発明が解決しようとする課題】
【０００６】
振動吸収体はその構造的な特徴によって超音波送受信器の振動を遮断するが、
樹脂成形品の肉厚が薄い方が効果が大きいために肉薄構造になり強度が低いという問題がある。
例えば、振動吸収体の材料にＰＢＴ−ＧＦ３０％を使用し意匠面側の肉厚が０．５ｍｍの場合、超音波送受信器を破壊しない比較的小さな飛び石でも振動吸収体の意匠面が割れてしまう。
振動吸収体が割れても特性面の変化は小さいが、
意匠面の部品である振動吸収体が割れると塗膜が剥がれて意匠性を悪化させる。
市場で想定される飛び石に大きさの制限が無いため、どんな大きさの飛び石でも割れない構造の実現は不可能であるが、少なくとも超音波送受信器よりも先に破壊されない構造が望ましい。
【０００７】
そこで本発明では、振動吸収体の取付位置とバンパーカバーの形状を改良することで振動吸収体に当たる飛び石の大きさを制限し、飛び石によって振動吸収体が容易に破壊されない超音波送受信器とそれをバンパーに取り付けるための構造体を実現する。
【課題を解決するための手段】
【０００８】
請求項１に記載の発明では
金属または樹脂からなる有底筒状ケースの底面に圧電素子を貼り合わせてなる超音波送受信器、または、
金属または樹脂からなる有底筒状ケースの底面に底面の幅より外径が小さい有低筒状ケースの開口部を接着し、小さな有低筒状ケースの天面に圧電素子を貼り合わせてなる超音波送受信器のいずれか一方と、
超音波送受信器の側面に取り付けられた、筒間の少なくとも一部がシリコーンで充填された、樹脂からなる筒間の一端が閉じて意匠面を有する多重円筒形状の振動吸収体と、
振動吸収体の取り付けられた超音波送受信器をおさめるためのハウジングケースと、
ハウジングケースにおさめられた超音波送受信器を取り付けるための円筒形の取付部を有するバンパーカバーと、
からなる超音波送受信器とそれをバンパーに取り付けるための構造体において、
バンパーカバーの内径が意匠面付近において振動吸収体の外径より小さく、
振動吸収体の意匠面が、バンパーカバーの意匠面と超音波送受信器の意匠面の
いずれか意匠面から奥まった方の意匠面よりも、
バンパーカバー意匠面の開口部と超音波送受信器との間の幅よりも奥に位置する。
【発明の効果】
【０００９】
振動吸収体に当たる飛び石の幅をバンパーカバーと超音波送受信器の間の幅に制限し、
飛び石によって振動吸収体が破壊されることを防ぐことを特徴とする超音波送受信器とそれをバンパーに取り付けるために構造体を実現する。
【図面の簡単な説明】
【００１０】
【図１】本発明を実施した超音波送受信器とそれを取り付けるための構造体の例１
【図２】本発明を実施した超音波送受信器とそれを取り付けるための構造体の例２
【実施例１】
【００１１】
本発明の実施例をつぎに示す。
請求項１に記載の本発明の実施例を図１に示す。例えば、φ１４の円を意匠面１ａとする高さ８ｍｍのアルミ材料からなる有底筒状ケース１の底面１ｂに、
チタン酸ジルコン酸鉛（ＰＺＴ）からなる円形の圧電素子２を接着する。
ケースを構成する材料はアルミニウム合金などの金属の他に、エポキシ樹脂にシリカを９０％以上充填した複合材料などが使用できる。
接着剤はアクリル系接着剤またはエポキシ系接着剤が使用される。
有底筒状ケース１の形状は例えば７０ｋＨｚで天面が振動する固有振動モードをもつように設計されている。
【００１２】
圧電素子２に設けられた銀電極２ａの一方と２有底筒状ケース２は接触することで電気的に結合されている。圧電素子２の一方の電極に半田付けによってリード線１２を取り付け、有底筒状ケース１にアルミット半田によってリード線１２を半田付けする。リード線１２の一端はワイヤーハーネス１４に半田付けされている。（ケースに電極を取り付ける方法としてアルミット半田によってリード線を半田付けする方法の他に、ケースにメッキ処理された金属を圧入し、圧入した金属のメッキ部にリード線を半田付けした構造がある。どちらの構造を使用してもよい。）圧電素子２は、シリコーンまたはウレタンの発泡体を成形してなる吸音材１０で覆われている。アルミケース１の内側は、シリコーンまたはウレタンからなる封止剤９によって充填されている。（図１の上面図では、吸音材１０、リード線１２、封止剤９、ワイヤーハーネス１４を省略している。）
【００１３】
有底筒状ケース１の外側に、振動吸収体４が取り付けられている。振動吸収体４は同心円上の２つ円筒からなり、外側の円筒４ａと内側の円筒４ｂの厚さは０．３ｍｍである。外側の円筒４ａと内側の円筒４ｂは厚さ０．３ｍｍの意匠面となる底面４ｃによって完全につながっている。振動吸収体４は振動絶縁性を高めるためにＡＢＳ相当の軟らかい弾性率をもつ樹脂材料を成形して作成できる。振動吸収体４の外側の円筒４ａと内側の円筒４ｂの間は、硬度４０程度のシリコーン５によって充填されている。シリコーン以外でもウレタン、低硬度のエラストマー、ゴムまたはそれらからなる発泡体を成形した遮音体を埋めることでも振動伝達を抑えることができる。
振動吸収体４を構成する樹脂成形品は複数の円筒が重ねられた形状で、円筒の一端が結合さえた意匠面を有するものである。円筒が２つ以上の複数であってもよい。厚さは０．３ｍｍ以外であってもよい。全体の強度とのかねあいでなるべく薄くなるように設計される。振動吸収体４を構成する樹脂成形品にはＡＢＳの他のＰＢＴやＰＰなどの一般的に車の外装に使用される樹脂材料が使用できる。
【００１４】
振動吸収体４が取り付けれた超音波送受信器が円筒形状の取付部を有するハウジングケース６に嵌め込まれ、
ハウジングケース６の外にバンパーカバー７が取り付けられる。
図ではハウジングケース６を介して振動吸収体４とバンパーカバー７が接触しているが、
振動吸収体４とバンパーカバー７の一部が直接接触する構造であっても良い。
ハウジングケース６には超音波送受信器の他に超音波送受信器への入出力信号を増幅するため回路がおさめられている。
バンパーカバー７は超音波送受信器が取り付けられたハウジングケース６または振動吸収体４をおさめるための円筒形の開口部を有する。
円筒形の開口部は意匠面側で狭くなるように設計されている。
バンパーカバー７と超音波送受信器の意匠面は同じ高さになるように設計されている。
（必ずしも同じ高さである必要は無い。同じ高さの方が意匠性にすぐれる場合が多い。）
振動吸収体４を取り付けると、振動吸収体４の意匠面がバンパーカバー７と超音波送受信器の意匠面１ａよりも一段凹むように設計されている。
【００１５】
振動吸収体４の意匠面４ｃとバンパーカバー７と超音波送受信器の意匠面１ａの差ｄと、
バンパーカバー開口部と超音波送受信の間にできる幅Ｌを調整することで、
振動吸収体４に当たる飛び石の大きさを制限することが出来る。
深さｄを幅Ｌよりも大きく設定すると、幅Ｌより大きな飛び石が振動吸収体４に当たる可能性が低くなるため、
幅Ｌよりも深さｄを大きくとると幅Ｌを超える飛び石が振動吸収体４に当たることを防ぐことができる。
【実施例２】
【００１６】
本発明の実施例をつぎに示す。
請求項１に記載の本発明の実施例を図２に示す。例えば、φ１４の円を意匠面１ａとする高さ８ｍｍのアルミ材料からなる有底筒状アルミケース１の底面１ｂに、同じくアルミ材料からなる小さなケース３の開口部を接着剤によって接着することで、２重底筒状ケース１３を作成する。ケースを構成する材料はアルミニウム合金などの金属の他に、エポキシ樹脂にシリカを９０％以上充填した複合材料などが使用できる。
小さなケース３の天面にチタン酸ジルコン酸鉛（ＰＺＴ）からなる円形の圧電素子２を接着する。接着剤はアクリル系接着剤またはエポキシ系接着剤が使用される。圧電素子２には両面電極２ａが設けられている。（折返し電極を施した圧電素子を使用してもよい。）アルミケース１と小さなケース３の間の空間は、シリコーンまたはウレタンの発泡体を成形してなる遮音体１１によって埋められている。遮音体１１は、２つのケースを接着する際に入れることができる。２重底筒状ケースに圧電素子を貼り合わせてなる超音波送受信器は、２つの異なる底面振動モードを有することが知られている。このとき２重底筒状ケース１３と圧電素子２の寸法は、低い周波数での底面振動モードの共振周波数が４５ｋＨｚ、高い周波数での底面振動モードの共振周波数が６８ｋＨｚになるように寸法設計されている。２重底筒状ケースは、底面部に２層の振動面を有する構造をもつケースをさす。
【００１７】
圧電素子２に設けられた銀電極２ａの一方と２重底筒状ケース１３は接触することで電気的に結合されている。圧電素子２の一方の電極に半田付けによってリード線１２を取り付け、２重底筒状ケース１３にアルミット半田によってリード線１２を半田付けする。リード線１２の一端はワイヤーハーネス１４に半田付けされている。（ケースに電極を取り付ける方法としてアルミット半田によってリード線を半田付けする方法の他に、ケースにメッキ処理された金属を圧入し、圧入した金属のメッキ部にリード線を半田付けした構造がある。どちらの構造を使用してもよい。）圧電素子２は、シリコーンまたはウレタンの発泡体を成形してなる吸音材１０で覆われている。アルミケース１の内側は、シリコーンまたはウレタンからなる封止剤９によって充填されている。（図１の上面図では、吸音材１０、リード線１２、封止剤９、ワイヤーハーネス１４を省略している。）
【００１８】
実施例１と同じく、振動吸収体４を介してバンパーカバー７に取り付ける。
振動吸収体４の意匠面４ｃとバンパーカバー７と超音波送受信器の意匠面１ａの差ｄと、
バンパーカバー開口部と超音波送受信の間にできる幅Ｌを調整することで、
振動吸収体４に当たる飛び石の大きさを制限することが出来る。
深さｄを幅Ｌよりも大きく設定すると、幅Ｌより大きな飛び石が振動吸収体４に当たる可能性が低くなるため、
幅Ｌよりも深さｄを大きくとると幅Ｌを超える飛び石が振動吸収体４に当たることを防ぐことができる。
【符号の説明】
【００１９】
１    有底筒状のアルミケース
１ａ  アルミケース天面
１ｂ  アルミケース底面
２    ＰＺＴ
２ａ  ＰＺＴ両面（銀電極部）
３    小さなケース
４    振動吸収体
４ａ  最外郭の円筒
４ｂ  最内郭の円筒
４Ｃ  振動吸収体の底面（意匠面）
５    シリコーン
６    ハウジングケース
７    バンパーカバー
８    バンパー）
９    封止剤
１０    吸音材
１１    遮音体
１２    リード線
１３    ２重底筒状ケース
１４    ワイヤーハーネス
【図１】
0005804907.tif 000002
【図２】
0005804907.tif 000003